(57)【要約】      （修正有）【課題】１．即時点灯性を実用基準内にする。２．蛍光管の輝度をインバーター式蛍光灯に遜色ない程度にする。３．重量を１Ｋｇ未満を目安に出来るだけ軽くする。【解決手段】軽量化するため「定電流回路」の直列共振用電磁コイルのインダクタンス（Ｌ）を、可能な限り節約する一方、捲き線を比較的太くしてコイルのＱは高くする。コンデンサーも直列共振に必要なキャパシタンス（Ｃ）より遥かに少なくする。従って定電流発生状態に必要な共振点（ωＬ＝１／ωＣ）からは遥かに離調したものとなるが、課題は達成出来る。【選択図】図１
0003137531.tif 000002
【実用新案登録請求の範囲】
【請求項１】
定電流回路として知られている、電磁コイル（Ｌ）とコンデンサー（Ｃ）を直列にした直列共振回路の、コンデンサー（Ｃ）に並列に設ける「負荷」として、直列にした複数の蛍光管を一本ずつ順次起動することを特徴とする「直列順次起動軽量蛍光灯」の点灯回路を、充当して構成した軽量蛍光灯具。
【請求項２】
「請求項１」の「負荷」として、自身の接続ピンの１から交流電圧の印加を受ける環（６）１輪環（７）２を有することを特徴とする３２Ｗ．型蛍光管を含む３２Ｗ．型以上の蛍光管の点灯回路を、充当して構成した軽量蛍光灯具。
【考案の詳細な説明】
【考案の詳細な説明】
【技術分野】
【０００１】  民生用照明灯
【背景技術】
【０００２】  「実用新案登録第３１２７９２３号」の「直列順次起動軽量蛍光灯」は、軽量で、エネルギー効率に優れているが、輝度が低い上、即時点灯性が基準に達しなかった。「実願２００７−５３９７、ハイブリッド軽量ペンダント灯」も３２Ｗ．側蛍光管に同様の問題があった。これら２件は、等価回路にすれば負荷の規模も性質も問題点も殆ど同じである。
【考案が解決しようとする課題】
【０００３】  ▲１▼即時点灯性を実用基準内にする。▲２▼蛍光管の輝度をインバーター式蛍光灯に遜色ない程度にする。▲３▼重量を１Ｋｇ未満を目安に出来るだけ軽くする。
【課題を解決するための手段】
【０００４】  「定電流回路」として公知の「図３」（ａ）の等価回路の、ｒとｘで代表される「負荷」の位置に上記２件の点灯回路を、可能な限り簡素化して当て嵌める。
軽量化するため「定電流回路」の直列共振用電磁コイルのインダクタンス（Ｌ）を、可能な限り節約する一方、捲き線を比較的太くしてコイルのＱは高くする。コンデンサーも直列共振に必要なキャパシタンス（Ｃ）より遥かに少なくする。従って定電流発生状態に必要な共振点（ωＬ＝１／ωＣ）からは遥かに離調したものとなるが、課題は達成出来る。
（注）ω＝２πｆ但しｆは電源周波数で、６０サイクルのときω＝３７７。
【考案を実施するための最良の形態】
【０００５】  追設する回路の主な部品は電磁コイルとコンデンサーだけであるから、簡素化する部品と入れ代わり、元の部品収納ボックス内に納まり、外観上大きな変化はない。
「図２」（ａ）は「電検」にも出題され回路計算式も解明されている有名な「定電流回路」であり、同図（ｂ）には共振時の定電流値（Ｉ）が、「負荷」に無関係に、電磁コイルのインダクタンス（Ｌ）のみで決まり、Ｌの変化に伴って（ａ），（ｂ），…（ｅ）と横軸に平行に遷移する様子を示し、その各インダクタンスＬに対して、コンデンサーの容量Ｃを例えば（ａ１），（ａ２）．…（ａ６）の様に変化させた場合に、負荷電流と負荷抵抗の関係が、共振状態の定電流を示す横軸に並行な（ａ１）線から、次第に深い垂下曲線（ａ２），…（ａ６）に離調する様子を示したものである。また（ｅ）は、Ｉ＝０．４４Ａ．の定電流を得るには、インダクタンスＬ＝０．６Ｈと、キャパシタンスＣ＝１１．７μＦが必要であることを示す。
本案実施例では、Ｌ＝０．１４５Ｈ，Ｃ＝１０μＦを用いたので、負荷電流は、０．４４Ａ．負荷抵抗は、２７５Ωを中心にして、大きく離調した曲線（ａ６）上を辿ることになる。
なお「定電流回路」併設前の負荷曲線は図中に記載の、「双曲線」であったから、特に起動時の、負荷抵抗の低い時、突入電流の発生が予想された。
【実施例】
【０００６】  用途；パソコンスペース吊り下げ灯：銘板；「点灯補償直列順次起動蛍光灯」
要目：蛍光管ＦＬ１５×２：点灯管ＦＧ１Ｅ×２：電磁コイル；１４５ｍＨ：コンデンサー；１０μＦ：入力制限手段；１２Ｖ．１０Ｗ．自動車用電球２＋２０Ω５Ｗ．セラミック抵抗１
入力；１００Ｖ．０．６４Ａ．６０Ｈｚ．：力率；０．７２（進み）＠６０Ｈｚ
出力；３６Ｗ．（蛍光管；３３Ｗ．＋電球；３Ｗ．）
損失；１０Ｗ．（蛍光管；３Ｗ．＋電球；３Ｗ．＋セラミック抵抗その他４Ｗ．）
照度；２７０Ｌｘ（１ｍ）：重量；７８０ｇｒ：即時点灯性；可（７秒）
【考案の効果】
【０００７】  実施例の灯具は、空間デザイン的にパソコンスペースの定番灯として好適である。もし、このＬ，Ｃ回路を１００％共振させるには、コイルのインダクタンスは４倍必要で、その重量約１ｋｇだけでは済まず、負荷側に力率調整用の略同程度のインダクタンスが必要となり、全体で３Ｋｇ近くになる。その代り、負荷電流は０．４４Ａ．一定、即時点灯性は「優」、また、コンデンサー（Ｃ）を起点として両蛍光管を経由し、コンデンサーに戻る「共振回流路」内に発生する高次高調波を含む振動電流の強度が増すので物凄く明るい灯具となる。然し、頭上に３ｋｇ近い重量物を吊るす用途は限定される。
高次高調波の発生は、共振点から遥かに離調させた「実施例」に於いても確認され、即時点灯性は７秒（可）に改善され、照度も、重量も目標を達成した。
この「定電流回路」は、共振回流路の振動電流に依り、「負荷」の端子電圧が電源よりも高くなるので、「実願２００７−５３９７；ハイブリッド軽量ペンダント灯」のＦＣＬ３２蛍光管に於いて、定常電圧が数Ｖ．不足する「特性の問題」も、点灯管との相性が悪い「部品の問題」も、一挙に解決し、即時点灯性は５秒に改善した。なお、この事例に用いたコイルのインダクタンスは、たったの４５ｍＨでその重量１６０ｇｒ．である。
【図面の簡単な説明】
【０００８】
【図１】  点灯補償回路を前置したＦＣＬ３２型蛍光管の点灯回路図。
【図２】  「定電流回路」の回路計算式より求めた、特性遷移図。
【図３】  （ａ）「定電流回路」の等価回路図。（大１０．電検２種設問図写）  （ｂ）点灯補償回路を前置した「実施例」の灯具の点灯回路図。
【符号の説明】
【０００９】  ▲１▼蛍光管  ▲２▼白熱灯  ▲３▼点灯管  ▲４▼スイッチ  ▲５▼差し込みプラク゜  ▲６▼環  ▲７▼輪環  ▲９▼ポジスター代用のユニット  ▲１１▼接続ピン  ▲１７▼単芯リード線
【００１０】  Ｃ；コンデンサー（またはそのキャパシタンス），Ｌ；電磁コイル（またはそのインダクタンス），Ｒ１；入力制限抵抗，Ｒ６；点弧誘発バイパス回路の抵抗，Ｂ６；Ｒ６を補足する白熱電球
【図１】
0003137531.tif 000003
【図２】
0003137531.tif 000004
【図３】
0003137531.tif 000005
【手続補正書】
【提出日】平成19年8月7日(2007.8.7)
【手続補正１】
【補正対象書類名】明細書
【補正対象項目名】０００５
【補正方法】変更
【補正の内容】
【０００５】
【考案の実施の形態】
追設する回路の主な部品は電磁コイルとコンデンサーだけであるから、簡素化する部品と入れ代わり、元の部品収納ボックス内に納まり、外観上大きな変化はない。
「図３」（ａ）は「電検」にも出題され回路計算式も解明されている有名な「定電流回路」であり、「図２」には共振時の定電流値（Ｉ）が、「負荷」に無関係に、電磁コイルのインダクタンス（Ｌ）のみで決まり、Ｌの変化に伴って（ａ），（ｂ），…（ｅ）と横軸に平行に遷移する様子を示し、その各インダクタンスＬに対して、コンデンサーの容量Ｃを例えば（ａ１），（ａ２）．…（ａ６）の様に変化させた場合に、負荷電流と負荷抵抗の関係が、共振状態の定電流を示す横軸に並行な（ａ１）線から、次第に深い垂下曲線（ａ２），…（ａ６）に離調する様子を示したものである。また（ｅ）は、Ｉ＝０．４４Ａ．の定電流を得る
0003137531.tif 000006
本案実施例では、Ｌ＝０．１４５Ｈ，Ｃ＝１０μＦを用いたので、負荷電流は、０．４４Ａ．負荷抵抗は、２７５Ωを中心にして、大きく離調した曲線（ａ６）上を辿ることになる。
なお「定電流回路」併設前の負荷曲線は図中に記載の、「双曲線」であったから、特に起動時の、負荷抵抗の低い時、突入電流の発生が予想された。
【手続補正書】
【提出日】平成19年8月9日(2007.8.9)
【手続補正１】
【補正対象書類名】図面
【補正対象項目名】図３
【補正方法】変更
【補正の内容】
【図３】
0003137531.tif 000007
【手続補正２】
【補正対象書類名】明細書
【補正対象項目名】００１０
【補正方法】変更
【補正の内容】
【００１０】
0003137531.tif 000008
Ｒ１；入力制限抵抗  Ｒ６；点弧誘発回路の高抵抗  Ｂ６；Ｒ６を補足する為の白熱電球
【手続補正書】
【提出日】平成19年8月20日(2007.8.20)
【手続補正１】
【補正対象書類名】図面
【補正対象項目名】図３
【補正方法】変更
【補正の内容】
【図３】
0003137531.tif 000009
【手続補正２】
【補正対象書類名】明細書
【補正対象項目名】０００７
【補正方法】変更
【補正の内容】
【０００７】
【考案の効果】
「実施例」の灯具は、空間デザイン的にパソコンスペースの定番灯として好適である。
このＬ，Ｃ回路を１００％共振させると、負荷電流は一定、即時点灯性は「優」、また、コンデンサー（Ｃ）を起点として両蛍光管を経由し、コンデンサーに戻る「共振同流路」に発生する高次高調波を含む振動電流の強度が増すので物凄く明るい灯具となる。
然し、「図３」（ａ）のｘに相当する電磁コイルがもう一個必要となり、全体重量は３ｋｇ近くなる。頭上に３ｋｇ近い重量物を吊す用途は限られる。
点灯より整定に至る間、漸増傾向を呈する共振回流路の発生電圧に処する為、特に「実施例」では、入力制限抵抗（Ｒ１）の表面温度にサーモスタット（ＴＳ）を連動させて、負荷抵抗を加減した結果、即時点灯性は好転し、照度も、重量も目標を達成した。
「共振回流路」に発生する振動電流に依り、「負荷」の端子電圧は電源電圧よりもかなり高くなるので、「実願２００７−５３９７；ハイブリッド軽量ペンダント灯」のＦＣＬ３２蛍光管に於いて、電源電圧の低下に弱い「特性の問題」も、点灯管との相性が悪い「部品の問題」も、一挙に解決し、即時点灯性は５秒に改善した。なお、この事例に用いたコイルのインダクタンスは、たったの４５ｍＨでその重量１６０ｇｒ．である。
【手続補正３】
【補正対象書類名】明細書
【補正対象項目名】００１０
【補正方法】変更
【補正の内容】
【００１０】  Ｃ；コンデンサー（又はそのキャパシタンス），Ｌ；電磁コイル（又はそのインダクタンス），Ｒ１；入力制限抵抗，ＴＳ；サーモスタット，Ｒ６；点弧誘発回路の高抵抗，Ｂ６；Ｒ６を補足する為の白熱豆電球